(57)【要約】      （修正有）【課題】ヒューズを並列に搭載する場合に、これらの出力側端子に接続する電線端末の端子を端子収容部へ挿入する作業スペースを確保する。【解決手段】複数列で隣接配置するヒューズ収容部１２のバスバー収容部２０、２２と端子収容部２１，２３とは、２列一組として、両外側にバスバー収容部２０、２２を位置させて中央部に２つの端子収容部２１，２３を並列に位置させ、あるいは両内側にバスバー収容部２０、２２を位置させて両外側に１個ずつ端子収容部２１，２３を位置させ、１つの端子収容部２１，２３の両側がバスバー収容部２０、２２に挟まれない構成としている。【選択図】図３
2005253158.tif 000002
【特許請求の範囲】
【請求項１】
ケース上面にヒューズ収容部を一列に連続配置すると共に隣接して複数列並設し、各列のヒューズ収容部の入力端子挿入側と出力端子挿入側にそれぞれ連続したバスバー収容部と端子収容部を並列に設け、上記端子収容部内に挿入する電線端末の端子を上記ヒューズの出力端子と嵌合接続させると共に、該端子収容部より下方へ突出するバスバー収容部内に収容するバスバーの上端から間隔をあけて突出するタブを上記ヒューズの入力端子と嵌合接続させている電気接続箱において、
上記複数列で隣接配置するヒューズ収容部のバスバー収容部と端子収容部は、両外側にバスバー収容部を位置させて中央部に端子収容部を並列に位置させ、あるいは両内側にバスバー収容部を位置させて両外側に端子収容部を位置させ、１つの端子収容部の両側がバスバー収容部に挟まれない構成としていることを特徴とする電気接続箱。
【請求項２】
上記ヒューズ収容部は小容量、中容量、大容量のヒューズあるいは／およびヒュージブルリンクの収容部である請求項１に記載の電気接続箱。
【発明の詳細な説明】
【技術分野】
【０００１】
本発明は、電気接続箱に関し、詳しくは、電気接続箱に搭載したブレードヒューズやミニヒューズあるいはおよび大容量ヒューズのヒュージブルリンクの端子と、電線端末の端子との接続を容易にするものである。
【背景技術】
【０００２】
従来、車両用ワイヤハーネスにおいて、電気回路を保護するため、電源側と多数の電装品との間にヒューズを介設している。これらヒューズは、図７（Ａ）に示すように、ヒューズボックス１や電気接続箱に集約して配置し、導電性金属板を打ち抜いて形成したバスバー２をヒューズボックス１内に収容して、電源の分配を行っている。なお、図７（Ａ）は上下逆転して示している。
【０００３】
詳細には、ヒューズボックス１において、電源分配用の縦バスバー２を収容するバスバー収容部３に隣接させて端子収容部４を設け、図７（Ｂ）に示すように縦バスバー２の基部２ａより上向きに突出させたヒューズ接続用の複数のタブ２ｂをヒューズ６の入力用端子６ａと接続させる一方、ヒューズ６の出力用端子６ｂを下方から挿入する電線ｗの端末に接続された端子５と端子収容部４内で接続している。
【０００４】
上記バスバー収容部３は、バスバー２が電源分配用の基部２ａを備えているため、該基部２ａの垂直方向の高さ寸法Ｈが、図７（Ａ）に示すように、端子収容部４よりも下方へ突出することとなる。
【０００５】
上記構造であると、端子収容部４に電線ｗの端末に接続した端子５を挿入する際に、バスバー収容部３が邪魔になり端子５の挿入作業が行いにくいという問題がある。また、ヒューズ６の収容部を密集させて複数列設けた場合には、図８に示すように、端子収容部４とバスバー収容部３とが交互に位置し、端子収容部４の両側がバスバー収容部３に挟まれた状態となるため、さらに端子の挿入作業が行いにくくなる。
【０００６】
そこで、本出願人は、特開平８−７８０７６号（特許文献１）において、図９（Ｂ）に示すように、バスバー７の基部７ａのヒューズ接続方向と反対方向からタブ７ｂを突設し、該タブ７ｂとヒューズ６の入力端子６ａとを中継端子８を介して接続している。上記構造とすると、図９（Ａ）に示すように、バスバー収容部３の先端と端子収容部４の先端を略同一高さとすることができ、バスバー収容部３が邪魔にならず電線端末の端子５の挿入作業を容易にすることができる。
【０００７】
しかしながら、特開平８−７８０７６号で提供している構造であると、バスバー７の構造が複雑になるため、バスバーの製造コストが高くなると共に、バスバー７のタブ７ｂとヒューズ６の入力端子部６ａを長尺な中継端子８を介して接続しなければならず部品点数が増加する問題がある。
【特許文献１】特開平８−７８０７６号公報
【発明の開示】
【発明が解決しようとする課題】
【０００８】
本発明は上記問題に鑑みてなされたものであり、ヒューズ（ブレード型ヒューズ、ヒュージブルリンク）の入力端子をバスバーの一端から間隔をあけて突設したタブと接続すると共に、出力端子を電線端末の端子と接続し、かつ、多数のヒューズあるいはヒュージブルリンクを直列に連続配置すると共に複数列で配置する電気接続箱において、電線端末に接続した端子の端子収容部への挿入作業スペースを確保して、該端子とヒューズやヒュージブルリンクの端子との接続を容易にすることを課題としている。
【課題を解決するための手段】
【０００９】
上記課題を解決するため、本発明は、ケース上面にヒューズ収容部を一列に連続配置すると共に隣接して複数列並設し、各列のヒューズ収容部の入力端子挿入側と出力端子挿入側にそれぞれ連続したバスバー収容部と端子収容部を並列に設け、上記端子収容部内に挿入する電線端末の端子を上記ヒューズの出力端子と嵌合接続させると共に、該端子収容部より下方へ突出するバスバー収容部内に収容するバスバーの上端から間隔をあけて突出するタブを上記ヒューズの入力端子と嵌合接続させている電気接続箱において、
上記複数列で隣接配置するヒューズ収容部のバスバー収容部と端子収容部は、両外側にバスバー収容部を位置させて中央部に端子収容部を並列に位置させ、あるいは両内側にバスバー収容部を位置させて両外側に端子収容部を位置させ、１つの端子収容部の両側がバスバー収容部に挟まれない構成としていることを特徴とする電気接続箱を提供している。
【００１０】
上記構成によれば、電線端末の端子を下方から挿入する一つの端子収容部は、その両側が下方へ突出するバスバー収容部に挟まれた状態とならないため、電線端末の端子を端子収容部へ挿入するための作業スペースを確保することができ、バスバー収容部が挿入作業の邪魔にならず、挿入作業を容易にすることができる。
かつ、バスバー収容部に収容するバスバーは、基部の上端に沿って間隔をあけてタブを突出した形状のままで使用できるため、バスバーの形状が簡単となり、また、前記従来例で必要とされた中継端子も不要とできる。
【００１１】
上記ヒューズ収容部は小容量、中容量、大容量のヒューズあるいは／およびヒュージブルリンクの収容部である。
即ち、小容量のヒューズ収容部と大容量のヒュージブルリンク収容部が隣接して並設されている場合、中容量のヒューズ収容部同士が隣接して並設されている場合等のいずれの場合にも適用できる。
【発明の効果】
【００１２】
上述したように、本発明の電気接続箱によれば、複数列で搭載するヒューズの入力端子および出力端子と接続されるバスバーおよび電線端末の端子をそれぞれ収容するバスバー収容部と端子収容部の配置位置を改良するだけで、端子収容部への端子の挿入作業スペースを確保することができる。しかも、ヒューズの入力端子と接続されるバスバーを特殊な形状とする必要がないと共に中継端子を不要とすることができる。
【発明を実施するための最良の形態】
【００１３】
本発明の実施形態を図面を参照して説明する。
図１乃至図４は、本発明の第１実施形態を示し、電気接続箱１０のボックス状のケース１１の上面にブレードヒューズのヒューズ収容部１２、差し込みタイプのヒュージブルリンク収容部１３、リレー収容部１４、ボルト締め固定するヒュージブルリンク収容部１５を設けている。また、ケース１１の上面側にはアッパーカバー（図示せず）、下面側にはロアカバー（図示せず）を被せて組み付けている。
【００１４】
上記ヒューズ収容部１２、ヒュージブルリンク収容部１３はそれぞれ複数個を直線状に連続配置し、これら直線状に配置したヒューズ収容部１２とヒュージブルリンク収容部１３を連接させて並列配置している。
【００１５】
ケース１１には上面側から下面側にかけて、図３に示すように、ヒューズ収容部１２の入力端子挿入側と連続させてバスバー収容部２０を設けると共に、出力端子挿入側と連続させて端子収容部２１を設け、バスバー収容部２０と端子収容部２１とを並設している。
図３に示すように、バスバー収容部２０内には、ヒューズ５０の入力端子部５０ａと接続する縦バスバー３０を収容し、端子収容部２１にはヒューズ５０の出力端子部５０ｂと接続する電線端末の雌端子４０を収容している。
同様に、ヒュージブルリンク収容部１３にも、ヒュージブルリンク５１の入力端子部５１ａと接続する縦バスバー３１を収容するバスバー収容部２２とヒュージブルリンク５１の出力端子部５１ｂと接続する雄端子４１を収容する端子収容部２３を並列配置して設けている。
上記バスバー収容部２０、２２は端子収容部２１、２３よりも下方に突出している。
【００１６】
本実施形態では、図３で上下逆転して示すように、ヒューズ収容部１２の出力端子側に連続する端子収容部２１とヒュージブルリンク収容部１３の出力端子側に連続する端子収容部２３とはそれぞれ内側に隣接配置する一方、端子収容部２１、２３よりも下方へ突出しているヒューズ収容部１２の入力端子側に連続するバスバー収容部２０とヒュージブルリンク収容部１３の入力端子側に連続するバスバー収容部２２をそれぞれ両外側に離して配置している。
【００１７】
ヒューズ５０の入力端子部５０ａと接続する縦バスバー３０は、図４（Ａ）に示すように、垂直帯状の基部３０ａの上端から同一ピッチで圧接スロット３０ｃを切り欠いて設けた圧接タブ３０ｂを突出している。同様に、ヒュージブルリンク５１の入力端子部５１ａと接続する縦バスバー３１は、図４（Ｂ）に示すように、垂直帯状の基部３１ａの上端からタブ３１ｂを同一ピッチで突出している。
これら縦バスバー３０、３１はそれぞれヒューズ収容部１２またはヒュージブルリンク収容部１３の入力端子側に垂直配置され、ヒュージブルリンク収容部１５にボルト締め固定されたヒュージブルリンク５２を介して電源回路と接続され、ヒューズ５０、ヒュージブルリンク５１を介して各電装品に電源を分配している。
なお、ヒューズ５０と接続する縦バスバー３０とヒュージブルリンク５１と接続する縦バスバー３１は基部を連続させて一体としてもよい。
【００１８】
ヒューズ５０の出力端子部５０ｂと接続する雌端子４０は、図３に示すように、電線ｗの端末に圧着しており、先端にヒューズ５０の出力端子部５０ｂを挿入する電気接続部４０ａを備えている。一方、ヒュージブルリンク５１の出力端子部５１ｂと接続する雄端子４１も他の電線ｗの端末に圧着しており、先端にヒュージブルリンク５１の雌状の出力端子部５１ｂに挿入して接続するタブ４１ａを備えている。
【００１９】
上記雌端子４０及び雄端子４１をそれぞれ端子収容部２１、２３に挿入する際には、図３に示すように、バスバー収容部２０、２２を外側、端子収容部２１、２３を内側に隣接させて配置して端子の挿入作業スペースＳを設けているため、端子収容部２１、２３よりも突出したバスバー収容部２０、２２が挿入作業の邪魔にならない。これにより、雌端子４０及び雄端子４１をそれぞれ端子収容部２１、２３に容易に挿入することができる。
【００２０】
図５は、本発明の第２実施形態を示し、並列配置したヒューズ収容部１２とヒュージブルリンク収容部１３の端子収容部２１、２３をそれぞれ外側に配置する一方、端子収容部２１、２３よりも下方へ突出しているバスバー収容部２０、２２をそれぞれ内側に隣接させて配置している。
【００２１】
上記構成とすると、端子収容部２１、２３がバスバー収容部２０、２２に挟まれた状態とならないため、端子の挿入作業スペースＳを設けることができ、挿入作業を容易にすることができる。
なお、他の構成及び作用効果は第１実施形態と同様のため、同一の符号を付して説明を省略する。
【００２２】
図６は、本発明の第３実施形態を示し、ヒューズ５０’は１つの入力端子部５０ａ’と２つの出力端子部５０ｂ’を備えており、該ヒューズ５０’を収容するヒューズ収容部１２’は２列の端子収容部２１’と１列のバスバー収容部２０’を並設している。また、上記第１実施形態と同様、ヒューズ収容部１２’とヒュージブルリンク収容部１３’の端子収容部２１’、２３’をそれぞれ内側に隣接配置している。
なお、ヒューズ収容部１２’とヒュージブルリンク収容部１３’の端子収容部２１’、２３’は、上記第２実施形態と同様、それぞれ外側に配置してもよい。
また、他の構成及び作用効果は第１実施形態と同様のため、同一の符号を付して説明を省略する。
【００２３】
なお、上記実施形態では、ブレードヒューズ・タイプのヒューズ収容部とヒュージブルリンク収容部を並列配置しているが、ブレードタイプのヒューズ収容部同士またはヒュージブルリンク収容部同士を並列配置してもよい。
また、並列配置するヒューズ収容部は２列に限らず、３列以上であってもよい。この場合、中間に配置されたヒューズ収容部は端子収容部を一方に隣接するヒューズ収容部の端子収容部と隣接させると共に、バスバー収容部を他方に隣接するヒューズ収容部のバスバー収容部と隣接させている。
４列の場合には、２列一組として上記した実施形態の配列としている。
【産業上の利用可能性】
【００２４】
本発明の電気接続箱は、多数のヒューズあるいは／およびヒュージブルリンクを搭載する自動車用のヒューズボックス、リレーボックス等に特に好適に用いられるものである。
【図面の簡単な説明】
【００２５】
【図１】本発明の第１実施形態の電気接続箱のケースの平面図である。
【図２】ケースの底面図である。
【図３】端子収容部に電線端末の端子を挿入する状態を示す図面である。
【図４】（Ａ）（Ｂ）はバスバーの正面図である。
【図５】本発明の第２実施形態を示す図面である。
【図６】本発明の第３実施形態を示す図面である。
【図７】（Ａ）（Ｂ）は従来例を示す図面である。
【図８】従来例の問題点を示す図面である。
【図９】（Ａ）（Ｂ）は他の従来例を示す図面である。
【符号の説明】
【００２６】
１０  電気接続箱
１１  ケース
１２  ヒューズ収容部
１３  差し込みタイプのヒュージブルリンク収容部
２０、２２  バスバー収容部
２１、２３  端子収容部
３０、３１  バスバー
４０  雌端子
４１  雄端子
５０  ヒューズ
５１  ヒュージブルリンク
Ｓ  端子の挿入作業用スペース
ｗ  電線
【図１】
2005253158.tif 000003
【図２】
2005253158.tif 000004
【図３】
2005253158.tif 000005
【図４】
2005253158.tif 000006
【図５】
2005253158.tif 000007
【図６】
2005253158.tif 000008
【図７】
2005253158.tif 000009
【図８】
2005253158.tif 000010
【図９】
2005253158.tif 000011